(57)【要約】  本発明によって、光記録媒体、記録／再生装置、記録／再生方法及びその方法を行うプログラムが記録されたコンピュータで読み取り可能な記録媒体が開示される。  本発明による光記録媒体は、リードイン領域、データ領域、リードアウト領域が設けられ、リードイン領域またはリードアウト領域は、媒体の欠陥管理及び記録管理のための情報を記録するためのＤＤＳ／ＲＭＤ領域を含み、データ領域は、媒体に発生した欠陥を代替する代替データと、欠陥に関する情報を記録するためのＳＡ／ＤＬ領域とを含み、データ領域内に割り当てられるＤＤＳ／ＲＭＤ領域の位置情報と、ＳＡ／ＤＬ領域の位置情報を含むデータ領域割り当て情報と、媒体の管理のための初期化情報とを含むＤＤＳ／ＲＭＤブロックが、ＤＤＳ／ＲＭＤ領域の最初の使用可能な位置に記録される。このような本発明によれば、ディスク管理情報を効率的にさがすことができ、さらにディスク空間を効率的に管理できる。
2007518214.tif 000002
【特許請求の範囲】
【請求項１】
光記録媒体において、
前記光記録媒体には、リードイン領域、データ領域、リードアウト領域が設けられ、
前記リードイン領域またはリードアウト領域は、ディスクの欠陥管理及び記録管理のための情報を記録するためのＤＤＳ／ＲＭＤ領域を含み、前記データ領域は、前記媒体に発生した欠陥を代替する代替データ及び前記欠陥に関する情報を記録するためのＳＡ／ＤＬ領域を含み、
前記データ領域内に割り当てられるＤＤＳ／ＲＭＤ領域の位置情報及び前記ＳＡ／ＤＬ領域の位置情報を含むデータ領域割り当て情報と、前記媒体の管理のための初期化情報とを含むＤＤＳ／ＲＭＤブロックが前記ＤＤＳ／ＲＭＤ領域の最初の使用可能な位置に記録されることを特徴とする光記録媒体。
【請求項２】
欠陥情報の数を“０”とする初期欠陥情報を含む欠陥リストは、前記ＳＡ／ＤＬ領域の最初の使用可能な位置に記録されることを特徴とする請求項１に記載の光記録媒体。
【請求項３】
前記データ領域に割り当てられるＤＤＳ／ＲＭＤ領域は、媒体の使用のための初期化時点で割り当てられることを特徴とする請求項２に記載の光記録媒体。
【請求項４】
前記データ領域内に割り当てられるＤＤＳ／ＲＭＤ領域の位置情報は、変更されないように固定されることを特徴とする請求項１に記載の光記録媒体。
【請求項５】
前記ＤＤＳ／ＲＭＤ領域は、前記データ領域の最初の部分に割り当てられた前記ＳＡ／ＤＬ領域の直後の位置に割り当てられるか、前記データ領域の終端部分に割り当てられることを特徴とする請求項１に記載の光記録媒体。
【請求項６】
前記ＤＤＳ／ＲＭＤ領域が前記データ領域の終端部分に割り当てられる場合に、新たに割り当てられるＳＡ／ＤＬ領域は、前記データ領域の終端部分に割り当てられた前記ＤＤＳ／ＲＭＤ領域の直前位置に割り当てられることを特徴とする請求項５に記載の光記録媒体。
【請求項７】
光記録媒体にデータを記録／再生する記録／再生装置において、
リードイン領域、データ領域、リードアウト領域が設けられた前記光記録媒体にデータを記録、及び／または、前記光記録媒体からデータを読出す記録／読出部と、
前記記録媒体の欠陥管理及び記録管理のための情報を、前記リードイン領域または前記リードアウト領域に設けられたＤＤＳ／ＲＭＤ領域に記録し、前記記録媒体に発生した欠陥を代替する代替データ及び前記欠陥に関する情報を、前記データ領域に設けられたＳＡ／ＤＬ領域に記録し、前記データ領域内にさらに割り当てられるＤＤＳ／ＲＭＤ領域の位置情報及び前記ＳＡ／ＤＬ領域の位置情報を含むデータ領域割り当て情報と、前記媒体の管理のための初期化情報とを含むＤＤＳ／ＲＭＤブロックを前記ＤＤＳ／ＲＭＤ領域の最初の使用可能な位置に記録するように、前記記録／読出部を制御する制御部とを備えることを特徴とする記録／再生装置。
【請求項８】
前記制御部は、
欠陥情報の数を“０”とする初期欠陥情報を含む欠陥リストを、前記ＳＡ／ＤＬ領域の最初の使用可能な位置に記録するように、前記記録／読出部をさらに制御することを特徴とする請求項７に記載の記録／再生装置。
【請求項９】
前記制御部は、
前記データ領域に割り当てられるＤＤＳ／ＲＭＤ領域を、ディスク使用のための初期化時点で割り当てることを特徴とする請求項８に記載の記録／再生装置。
【請求項１０】
前記制御部は、
前記データ領域内に割り当てられるＤＤＳ／ＲＭＤ領域の位置情報を変更されないように固定させることを特徴とする請求項７に記載の記録／再生装置。
【請求項１１】
前記制御部は、
前記ＤＤＳ／ＲＭＤ領域を、前記データ領域の最初の部分に割り当てられた前記ＳＡ／ＤＬ領域の直後の位置に割り当てるか、前記データ領域の終端部分に割り当てることを特徴とする請求項７に記載の記録／再生装置。
【請求項１２】
前記制御部は、
前記ＤＤＳ／ＲＭＤ領域が前記データ領域の終端部分に割り当てられる場合に、新たに割り当てられるＳＡ／ＤＬ領域は、前記データ領域の終端部分に割り当てられた前記ＤＤＳ／ＲＭＤ領域の直前位置に割り当てることを特徴とする請求項１１に記載の記録／再生装置。
【請求項１３】
リードイン領域、データ領域、リードアウト領域が設けられた光記録媒体にデータを記録する方法において、
前記光記録媒体の欠陥管理及び記録管理のための情報を、リードイン領域または前記リードアウト領域に設けられたＤＤＳ／ＲＭＤ領域に記録するステップと、
前記媒体に発生した欠陥を代替する代替データ及び前記欠陥に関する情報を、前記データ領域に設けられたＳＡ／ＤＬ領域に記録するステップと、
前記データ領域内にさらに割り当てられるＤＤＳ／ＲＭＤ領域の位置情報及び前記ＳＡ／ＤＬ領域の位置情報を含むデータ領域割り当て情報と、前記媒体の管理のための初期化情報とを含むＤＤＳ／ＲＭＤブロックを、前記ＤＤＳ／ＲＭＤ領域の最初の使用可能な位置に記録するステップとを含むことを特徴とする記録方法。
【請求項１４】
欠陥情報の数を“０”とする初期欠陥情報を含む欠陥リストを、前記ＳＡ／ＤＬ領域の最初の使用可能な位置に記録するステップをさらに含むことを特徴とする請求項１３に記載の記録方法。
【請求項１５】
前記データ領域に割り当てられるＤＤＳ／ＲＭＤ領域を、前記媒体の使用のための初期化時点で割り当てるステップをさらに含むことを特徴とする請求項１４に記載の記録方法。
【請求項１６】
前記データ領域内に割り当てられるＤＤＳ／ＲＭＤ領域の位置情報を、変更されないように固定させるステップをさらに含むことを特徴とする請求項１３に記載の記録方法。
【請求項１７】
前記ＤＤＳ／ＲＭＤ領域を、前記データ領域の最初の部分に割り当てられた前記ＳＡ／ＤＬ領域の直後の位置に割り当てるか、前記データ領域の終端部分に割り当てるステップをさらに含むことを特徴とする請求項１３に記載の記録方法。
【請求項１８】
前記ＤＤＳ／ＲＭＤ領域が前記データ領域の終端部分に割り当てられる場合に、新たに割り当てられるＳＡ／ＤＬ領域は、前記データ領域の終端部分に割り当てられた前記ＤＤＳ／ＲＭＤ領域の直前位置に割り当てるステップをさらに含むことを特徴とする請求項１７に記載の記録方法。
【請求項１９】
リードイン領域、データ領域、リードアウト領域が設けられた光記録媒体からデータを再生する方法において、
前記媒体の欠陥管理及び記録管理のための情報を、前記媒体のリードイン領域またはリードアウト領域に設けられた前記ＤＤＳ／ＲＭＤ領域から読出すステップと、
前記媒体に発生した欠陥を代替する代替データ及び前記欠陥に関する情報を、前記データ領域に設けられたＳＡ／ＤＬ領域から読出すステップと、
前記データ領域内にさらに割り当てられるＤＤＳ／ＲＭＤ領域の位置情報及び前記ＳＡ／ＤＬ領域の位置情報を含むデータ領域割り当て情報と、前記媒体の管理のための初期化情報とを含むＤＤＳ／ＲＭＤブロックを、前記ＤＤＳ／ＲＭＤ領域の最初の使用可能な位置から読出すステップとを含むことを特徴とする再生方法。
【請求項２０】
欠陥情報の数を“０”とする初期欠陥情報を含む欠陥リストを、前記ＳＡ／ＤＬ領域の最初の使用可能な位置から読出すステップをさらに含むことを特徴とする請求項１９に記載の再生方法。
【請求項２１】
リードイン領域、データ領域、リードアウト領域が設けられた光ディスクにデータを記録する方法を行うプログラムが記録されたコンピュータで読み取り可能な記録媒体において、前記記録方法は、
ディスクの欠陥管理及び記録管理のための情報を、リードイン領域または前記リードアウト領域に設けられたＤＤＳ／ＲＭＤ領域に記録するステップと、
前記ディスクに発生した欠陥を代替する代替データ及び前記欠陥に関する情報を、前記データ領域に設けられたＳＡ／ＤＬ領域に記録するステップと、
前記データ領域内にさらに割り当てられるＤＤＳ／ＲＭＤ領域の位置情報及び前記ＳＡ／ＤＬ領域の位置情報を含むデータ領域割り当て情報と、ディスク管理のための初期化情報とを含むＤＤＳ／ＲＭＤブロックを、前記ＤＤＳ／ＲＭＤ領域の最初の使用可能な位置に記録するステップとを含むことを特徴とする記録媒体。
【請求項２２】
リードイン領域、データ領域、リードアウト領域が設けられた光ディスクからデータを再生する方法を行うプログラムが記録されたコンピュータで読み取り可能な記録媒体において、前記再生方法は、
前記ディスクの欠陥管理及び記録管理のための情報を、前記ディスクのリードイン領域またはリードアウト領域に設けられた前記ＤＤＳ／ＲＭＤ領域から読出すステップと、
前記ディスクに発生した欠陥を代替する代替データ及び前記欠陥に関する情報を、前記データ領域に設けられたＳＡ／ＤＬ領域から読出すステップと、
前記のデータ領域内にさらに割り当てられるＤＤＳ／ＲＭＤ領域の位置情報及び前記ＳＡ／ＤＬ領域の位置情報を含むデータ領域割り当て情報と、ディスク管理のための初期化情報とを含むＤＤＳ／ＲＭＤブロックを、前記ＤＤＳ／ＲＭＤ領域の最初の使用可能な位置から読出すステップを含むことを特徴とする記録媒体。
【請求項２３】
リードイン領域、データ領域、リードアウト領域を含む情報記録媒体において、前記データ領域は、
前記情報記録媒体上の欠陥データを代替するための代替データを記録し、前記欠陥データの欠陥情報を記録するためのスペア領域（ＳＡ）／欠陥リスト（ＤＬ）領域と、
前記情報記録媒体の管理に使われるデータ領域割り当て情報及び初期化情報を含むディスク管理情報（ＤＤＳ）／記録管理情報（ＲＭＤ）領域とを含み、
前記データ領域割り当て情報は、前記データ領域のＤＤＳ／ＲＭＤ領域及びＳＡ／ＤＬ領域の位置情報を含むことを特徴とする情報記録媒体。
【請求項２４】
前記ＤＤＳ／ＲＭＤ領域は、ディスク管理情報及び記録管理情報を含むことを特徴とする請求項２３に記載の情報記録媒体。
【請求項２５】
前記ディスク管理情報は、前記ＳＡ／ＤＬ領域の位置情報、前記ＤＤＳ／ＲＭＤ領域の位置情報、前記ＳＡ／ＤＬ領域の欠陥リストの位置情報、前記ＳＡ／ＤＬ領域の記録可能な部分の位置情報、一致フラッグ（ｃｏｎｓｉｓｔｅｎｃｙ  ｆｌａｇ）及び記録防止情報を含むことを特徴とする請求項２４に記載の情報記録媒体。
【請求項２６】
前記記録管理情報は、順次記録モードで各Ｒゾーンの状態を表すＲゾーンエントリー、またはランダム記録モードでユーザデータ領域の記録ブロックにデータが記録されるかどうかを表す値のビットマップを含むことを特徴とする請求項２４に記載の情報記録媒体。
【請求項２７】
前記ＤＤＳ／ＲＭＤ領域は、単一記録層ディスクでリードイン領域またはリードアウト領域に提供され、二重記録層ディスクでリードイン領域、中間領域、リードアウト領域に提供されることを特徴とする請求項２３に記載の情報記録媒体。
【請求項２８】
前記ＤＬ領域は、欠陥リストを含むことを特徴とする請求項２３に記載の情報記録媒体。
【請求項２９】
前記欠陥リストは、前記情報記録媒体にデータを記録、及び／またはデータを読出す間に検出された欠陥ブロックの位置情報及び前記欠陥ブロックを代替する代替ブロックの位置情報を含むことを特徴とする請求項２８に記載の情報記録媒体。
【発明の詳細な説明】
【技術分野】
【０００１】
本発明は、ディスク分野に係り、さらに具体的には、光記録媒体、記録／再生装置、記録／再生方法及びその方法を行うプログラムが記録されたコンピュータで読み取り可能な記録媒体に関する。
【背景技術】
【０００２】
欠陥管理とは、ユーザデータ領域に記録したユーザデータに欠陥が発生した時、欠陥発生部分に記録されたユーザデータを上書きして欠陥発生によるデータ損失を補う過程を意味する。従来、欠陥管理は、線形置換を利用した欠陥管理方法と飛ばしを利用した欠陥管理方法とに大別される。線形置換とは、ユーザデータ領域に欠陥が発生すれば、この欠陥領域をスペア領域の欠陥が発生していない領域に置換することをいう。飛ばしとは、欠陥が発生した領域は使用せずに“飛ばした”後、欠陥が発生していない領域を順次に使用することをいう。
【０００３】
線形置換の場合に、ユーザデータ領域に欠陥が発生したブロックを欠陥ブロックといい、このような欠陥ブロックを代替するための代替ブロックのための空間であるスペア領域がディスクの所定部分に設けられる。ディスクでリードイン、中間領域、リードアウトに割り当てられた領域は、ディスクの製造時に規格の定める通りに割り当てられるが、代替ブロックのためのスペア領域は、ディスク使用のための初期化時点でその割り当て如何が決定される。
【０００４】
一方、このような欠陥管理を行う追記型ディスクの場合に、記録されたデータを削除して上書きするか、書き直せないという追記型ディスク自体の特性により、データを記録するためのディスク空間を効率的に管理することが要求される。また、ディスク管理情報を容易に探索できるようにディスクに記録しておくことが要求される。
【発明の開示】
【発明が解決しようとする課題】
【０００５】
本発明は欠陥管理が行われるディスクのディスク空間を効率的に管理し、ディスク管理情報を効率的に探索可能にする光記録媒体、記録／再生装置、記録／再生方法及びその方法を行うプログラムが記録されたコンピュータで読み取り可能な記録媒体を提供することを目的とする。
【課題を解決するための手段】
【０００６】
前記のような課題を解決するための本発明の一つの特徴は、光記録媒体において、前記光記録媒体には、リードイン領域、データ領域、リードアウト領域が設けられ、前記リードイン領域またはリードアウト領域は、ディスクの欠陥管理及び記録管理のための情報を記録するためのＤＤＳ／ＲＭＤ領域を含み、前記データ領域は、前記媒体に発生した欠陥を代替する代替データ及び前記欠陥に関する情報を記録するためのＳＡ／ＤＬ領域を含み、前記データ領域内に割り当てられるＤＤＳ／ＲＭＤ領域の位置情報及び前記ＳＡ／ＤＬ領域の位置情報を含むデータ領域割り当て情報と、前記媒体の管理のための初期化情報とを含むＤＤＳ／ＲＭＤブロックが前記ＤＤＳ／ＲＭＤ領域の最初の使用可能な位置に記録されることである。
【０００７】
ここで、欠陥情報の数を“０”とする初期欠陥情報を含む欠陥リストは、前記ＳＡ／ＤＬ領域の最初の使用可能な位置に記録されることが望ましい。
【０００８】
また、前記データ領域に割り当てられるＤＤＳ／ＲＭＤ領域は、媒体の使用のための初期化時点で割り当てられる。前記データ領域内に割り当てられるＤＤＳ／ＲＭＤ領域の位置情報は、変更されないように固定される。また、前記ＤＤＳ／ＲＭＤ領域は、前記データ領域の最初の部分に割り当てられた前記ＳＡ／ＤＬ領域の直後の位置に割り当てられるか、前記データ領域の終端部分に割り当てられるか、前記ＤＤＳ／ＲＭＤ領域が前記データ領域の終端部分に割り当てられる場合に、新たに割り当てられるＳＡ／ＤＬ領域は、前記データ領域の終端部分に割り当てられた前記ＤＤＳ／ＲＭＤ領域の直前位置に割り当てられることが望ましい。
【０００９】
本発明の他の特徴は、光記録媒体にデータを記録／再生する記録／再生装置において、リードイン領域、データ領域、リードアウト領域が設けられた前記光ディスクにデータを記録、及び／または、前記光ディスクからデータを読出す記録／読出部と、ディスクの欠陥管理及び記録管理のための情報を、前記リードイン領域または前記リードアウト領域に設けられたＤＤＳ／ＲＭＤ領域に記録し、前記ディスクに発生した欠陥を代替する代替データ及び前記欠陥に関する情報を、前記データ領域に設けられたＳＡ／ＤＬ領域に記録し、前記データ領域内にさらに割り当てられるＤＤＳ／ＲＭＤ領域の位置情報及び前記ＳＡ／ＤＬ領域の位置情報を含むデータ領域割り当て情報と、前記媒体の管理のための初期化情報とを含むＤＤＳ／ＲＭＤブロックを前記ＤＤＳ／ＲＭＤ領域の最初の使用可能な位置に記録するように前記記録／読出部を制御する制御部とを備えることである。
【００１０】
本発明のさらに他の特徴は、リードイン領域、データ領域、リードアウト領域が設けられた光ディスクにデータを記録する方法において、ディスクの欠陥管理及び記録管理のための情報を、リードイン領域または前記リードアウト領域に設けられたＤＤＳ／ＲＭＤ領域に記録するステップと、前記ディスクに発生した欠陥を代替する代替データ及び前記欠陥に関する情報を、前記データ領域に設けられたＳＡ／ＤＬ領域に記録するステップと、前記データ領域内にさらに割り当てられるＤＤＳ／ＲＭＤ領域の位置情報及び前記ＳＡ／ＤＬ領域の位置情報を含むデータ領域割り当て情報と、ディスク管理のための初期化情報とを含むＤＤＳ／ＲＭＤブロックを、前記ＤＤＳ／ＲＭＤ領域の最初の使用可能な位置に記録するステップとを含むことである。
【００１１】
本発明のさらに他の特徴は、リードイン領域、データ領域、リードアウト領域が設けられた光ディスクからデータを再生する方法において、前記ディスクの欠陥管理及び記録管理のための情報を、前記ディスクのリードイン領域またはリードアウト領域に設けられた前記ＤＤＳ／ＲＭＤ領域から読出すステップと、前記ディスクに発生した欠陥を代替する代替データ及び前記欠陥に関する情報を、前記データ領域に設けられたＳＡ／ＤＬ領域から読出すステップと、前記データ領域内にさらに割り当てられるＤＤＳ／ＲＭＤ領域の位置情報及び前記ＳＡ／ＤＬ領域の位置情報を含むデータ領域割り当て情報と、ディスク管理のための初期化情報とを含むＤＤＳ／ＲＭＤブロックを、前記ＤＤＳ／ＲＭＤ領域の最初の使用可能な位置から読出すステップとを含むことである。
【００１２】
本発明のさらに他の特徴は、リードイン領域、データ領域、リードアウト領域が設けられた光ディスクにデータを記録する方法を行うプログラムが記録されたコンピュータで読み取り可能な記録媒体において、前記記録方法は、ディスクの欠陥管理及び記録管理のための情報を、リードイン領域または前記リードアウト領域に設けられたＤＤＳ／ＲＭＤ領域に記録するステップと、前記ディスクに発生した欠陥を代替する代替データ及び前記欠陥に関する情報を、前記データ領域に設けられたＳＡ／ＤＬ領域に記録するステップと、前記データ領域内にさらに割り当てられるＤＤＳ／ＲＭＤ領域の位置情報及び前記ＳＡ／ＤＬ領域の位置情報を含むデータ領域割り当て情報と、ディスク管理のための初期化情報とを含むＤＤＳ／ＲＭＤブロックを、前記ＤＤＳ／ＲＭＤ領域の最初の使用可能な位置に記録するステップとを含むことである。
【００１３】
本発明のさらに他の特徴は、リードイン領域、データ領域、リードアウト領域が設けられた光ディスクからデータを再生する方法を行うプログラムが記録されたコンピュータで読み取り可能な記録媒体において、前記再生方法は、前記ディスクの欠陥管理及び記録管理のための情報を、前記ディスクのリードイン領域またはリードアウト領域に設けられた前記ＤＤＳ／ＲＭＤ領域から読出すステップと、前記ディスクに発生した欠陥を代替する代替データ及び前記欠陥に関する情報を、前記データ領域に設けられたＳＡ／ＤＬ領域から読出すステップと、前記のデータ領域内にさらに割り当てられるＤＤＳ／ＲＭＤ領域の位置情報及び前記ＳＡ／ＤＬ領域の位置情報を含むデータ領域割り当て情報と、ディスク管理のための初期化情報とを含むＤＤＳ／ＲＭＤブロックを、前記ＤＤＳ／ＲＭＤ領域の最初の使用可能な位置から読出すステップを含むことである。
【発明の効果】
【００１４】
本発明によれば、欠陥管理が行われるディスクのディスク空間を効率的に管理できる。
【発明を実施するための最良の形態】
【００１５】
以下、添付された図面を参照して本発明を詳細に説明する。
【００１６】
図１は、本発明による記録／再生装置の構成の概略的なブロック図である。図１を参照するに、前記記録／再生装置は、記録／読出部２と、制御部１とを備える。
【００１７】
記録／読出部２は、ピックアップなどを備えて本発明による光記録情報記録媒体のディスク１００にデータを記録し、記録されたデータを読出す。
【００１８】
制御部１は、所定のファイルシステムによってディスク１００にデータを記録して読出すように制御する。本実施形態で、制御部１は、所定単位でデータを記録した後、記録されたデータを検証することによって欠陥が発生した部分を探索する「記録後検証（ｖｅｒｉｆｙ  ａｆｔｅｒ  ｗｒｉｔｅ）方式」による。制御部１は、一つのレコーディングオペレーション単位でユーザデータを記録した後で、検証して、欠陥領域がどこに発生したかを検査する。制御部１は、検査結果明らかになった欠陥領域がどこであるかを知らせる欠陥情報を生成した後、生成された欠陥情報をメモリに保存しておいて所定分量集めて臨時欠陥情報としてディスクに記録する。
【００１９】
レコーディングオペレーションとは、ユーザの意思、行おうとする記録作業により決定される作業単位であって、本実施形態では、ディスクが記録装置にローディングされて所定データの記録作業が行われた後、ディスクが取り出されるまでを示す。一レコーディングオペレーションの間に、記録後検証作業は、少なくとも１回、通常複数回行われる。記録後検証作業の実行結果得られた臨時欠陥情報はメモリに一時保存される。
【００２０】
ユーザが所定データの記録作業を完了した後、ディスクを取り出すために記録装置に設けられたイジェクトボタン（図示せず）を押せば、制御部１は、一レコーディングオペレーションが終了することを予測する。レコーディングオペレーションが終了することが予測されれば、制御部１は、メモリに保存された臨時欠陥情報を読み込んで記録／読出部２に提供し、これら情報をディスクに記録することを命令する。
【００２１】
制御部１は、システム制御器１０と、ホストＩ／Ｆ  ２０と、ＤＳＰ（Ｄｉｇｉｔａｌ  Ｓｉｇｎａｌ  Ｐｒｏｃｅｓｓｏｒ）３０と、ＲＦ  ＡＭＰ  ４０と、サーボ５０と、メモリ６０とを備える。
【００２２】
記録時、ホストＩ／Ｆ  ２０は、ホストから所定の記録命令を受信してこれをシステム制御器１０に伝送する。システム制御器１０は、このようなホストＩ／Ｆ  ２０から受信された記録命令を行うためにＤＳＰ  ３０及びサーボ５０を制御する。ＤＳＰ  ３０は、ホストＩ／Ｆ  ２０から受けた記録するデータを、エラー訂正のためにパリティなどの付加データを添加してエンコーディングを行って、エラー訂正ブロックであるＥＣＣブロックを生成した後、これを既定の方式で変調する。ＲＦ  ＡＭＰ  ４０は、ＤＳＰ  ３０から出力されたデータをＲＦ信号に変える。ピックアップを備えた記録／読出部２は、ＲＦ  ＡＭＰ  ４０から伝送されたＲＦ信号をディスク１００に記録する。サーボ５０は、システム制御器１０からサーボ制御に必要な命令を入力されて、記録／読出部２のピックアップをサーボ制御する。
【００２３】
特に、本発明によってシステム制御器１０は、効率的なディスク管理及び欠陥管理を行うために次のような動作を行う。
【００２４】
本発明の一例によってシステム制御器１０は、リードイン領域、データ領域、リードアウト領域で構成された光ディスクに、ディスクの欠陥管理及び記録管理のための情報を前記リードイン領域または前記リードアウト領域に設けられたＤＤＳ／ＲＭＤ領域に記録し、前記ディスクに発生した欠陥を代替する代替データ及び前記欠陥に関する情報を前記データ領域に設けられたＳＡ／ＤＬ領域に記録し、前記データ領域内にさらに割り当てられるＤＤＳ／ＲＭＤ領域の位置情報及び前記ＳＡ／ＤＬ領域の位置情報を含むデータ領域割り当て情報と、ディスク管理のための初期化情報とを含むＤＤＳ／ＲＭＤブロックを、前記ＤＤＳ／ＲＭＤ領域の最初の使用可能な位置に記録するように、前記記録／読出部を制御する。
【００２５】
また、システム制御器１０は、欠陥情報の数を“０”とする初期欠陥情報を含む欠陥リストを前記ＳＡ／ＤＬ領域の最初の使用可能な位置に記録するように、記録／読出部を制御する。
【００２６】
また、システム制御器１０は、前記データ領域に割り当てられるＤＤＳ／ＲＭＤ領域をディスク使用のための初期化時点で割り当て、前記データ領域内に割り当てられるＤＤＳ／ＲＭＤ領域の位置情報を、変更されないように固定させる。また、システム制御器１０は、前記ＤＤＳ／ＲＭＤ領域を、前記データ領域の最初の部分に割り当てられた前記ＳＡ／ＤＬ領域の直後の位置に割り当てるか、前記データ領域の終端部分に割り当てる。また、システム制御器１０は、前記ＤＤＳ／ＲＭＤ領域が前記データ領域の終端部分に割り当てられる場合に、新たに割り当てられるＳＡ／ＤＬ領域は、前記データ領域の終端部分に割り当てられた前記ＤＤＳ／ＲＭＤ領域の直前位置に割り当てる。
【００２７】
再生時、ホストＩ／Ｆ  ２０は、ホストから再生命令を受ける。システム制御器１０は、再生に必要な初期化を行う。記録／読出部２は、ディスク１００にレーザービームを照射して、ディスク１００から反射されたレーザービームを受光して得られた光信号を出力する。ＲＦ  ＡＭＰ  ４０は、記録／読出部２から出力された光信号をＲＦ信号に変えて、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調してＥＣＣエラー訂正を経て得られたデータを出力する。一方、サーボ５０は、ＲＦ  ＡＭＰ  ４０から受けたサーボ信号及びシステム制御器１０から受けたサーボ制御に必要な命令を受けて、ピックアップに対するサーボ制御を行う。ホストＩ／Ｆ  ２０は、ＤＳＰ  ３０から受けたデータをホストに送る。システム制御器１０は、再生制御のためにディスク管理情報や欠陥に関する情報をディスクから読み込んで、欠陥のないデータが記録された位置からデータを読み込むようにサーボを制御する。
【００２８】
特に、本発明の一例によってシステム制御器１０は、リードイン領域、データ領域、リードアウト領域が設けられた光ディスク１００から、ディスクの欠陥管理及び記録管理のための情報を、前記ディスクのリードイン領域またはリードアウト領域に設けられた前記ＤＤＳ／ＲＭＤ領域から読出し、前記ディスクに発生した欠陥を代替する代替データ及び前記欠陥に関する情報を、前記データ領域に設けられたＳＡ／ＤＬ領域から読出し、前記データ領域内にさらに割り当てられるＤＤＳ／ＲＭＤ領域の位置情報及び前記ＳＡ／ＤＬ領域の位置情報を含むデータ領域割り当て情報と、ディスク管理のための初期化情報とを含むＤＤＳ／ＲＭＤブロックを、前記ＤＤＳ／ＲＭＤ領域の最初の使用可能な位置から読出すように記録／読出部を制御する。
【００２９】
また、システム制御器１０は、欠陥情報の数を“０”とする初期欠陥情報を含む欠陥リストを、前記ディスク１００のＳＡ／ＤＬ領域の最初の使用可能な位置から読出すように記録／読出部を制御する。
【００３０】
図１に図示された記録／再生装置は、個別的な記録装置、再生装置で具現されるか、または一つの記録及び再生装置で具現される。
【００３１】
以下、本発明による光記録情報記録媒体の構造を説明する。
【００３２】
本発明による光記録情報記録媒体に記録されるディスク管理情報（ディスクマネージメントインフォメーション：ＤＭＩ）は、ディスク定義構造（ディスクディフィニションストラクチャ：ＤＤＳ）、記録管理データ（レコーディングマネージメントデータ：ＲＭＤ）、欠陥リスト（ディフェクトリスト：ＤＬ）からなっている。ディスク管理情報を記録するためのディスク管理情報領域（ディスクマネージメントエリア：ＤＭＡ）は、大きく、ディスクの使用中に前記ディスクを管理するための情報である臨時ディスク管理情報を記録するための臨時ディスク管理領域（テンポラリーディスクマネージメントエリア：ＴＤＭＡ）と、最終化されたディスク管理情報を記録するための最終ディスク管理領域（ファイナライズドディスクマネージメントエリア：ＦＤＭＡ）とで構成される。
【００３３】
ディスクの使用中にディスク管理情報を臨時的に記録するための臨時ディスク管理領域（ＴＤＭＡ）は、ディスク定義構造（ＤＤＳ）及び記録管理データ（ＲＭＤ）を記録するためのＤＤＳ／ＲＭＤ領域と、欠陥リスト（ＤＬ）を記録するためのＤＬ領域とを含む。
【００３４】
前記ディスク定義構造（ＤＤＳ）は、前記臨時ディスク管理領域の位置情報やディスク管理情報の位置情報を含む。すなわち、前記ＤＤＳは、データ領域内に記録されたデータブロックに欠陥が発生した場合、その欠陥に関する欠陥ブロックを代替する代替ブロック及び欠陥リスト（ＤＬ）が記録されるＳＡ／ＤＬ領域の位置情報、ＤＤＳ／ＲＭＤ領域の位置情報、欠陥リスト（ＤＬ）が記録された位置情報、ＳＡ／ＤＬ領域内で代替のために、または、欠陥リスト（ＤＬ）のアップデートのために使用可能な位置情報、以前使用中にディスクが正常にイジェクトされたかを検査するための一致フラッグ、記録防止のための記録防止情報などを含む。
【００３５】
前記記録管理情報（ＲＭＤ）は、ディスクに記録されたデータの管理のための情報である。すなわち、前記記録管理情報（ＲＭＤ）は、シーケンシャルレコーディングモードでそれぞれのＲゾーンに対する状態を表すＲゾーンエントリー、またはランダムレコーディングモードのためにユーザ領域のそれぞれの記録単位ブロックに対するデータの記録有無をビット値で表したビットマップを含む。
【００３６】
このようなディスク定義構造（ＤＤＳ）及び記録管理情報（ＲＭＤ）を記録するためのＤＤＳ／ＲＭＤ領域は、単一記録層ディスクでリードイン領域またはリードアウト領域に設けられ、二重記録層でリードイン領域または中間領域またはリードアウト領域に設けられる。また、ディスク使用のための初期化時点でドライブ製作者やユーザの意図によってＤＤＳ／ＲＭＤブロックのアップデート可能回数を増加させるために、データ領域の一部にＤＤＳ／ＲＭＤ領域が割り当てられてもよい。
【００３７】
前記欠陥リスト（ＤＬ）は、データの記録や再生中に発生した欠陥ブロックの位置に関する情報と、その欠陥ブロックを代替する代替ブロックの位置に関する情報とを含む。このような欠陥リスト（ＤＬ）が記録されるＤＬ領域は、固定されて決まったものではなく、ドライブによる欠陥管理のためにデータ領域内に割り当てられたＳＡ／ＤＬ領域にそのアップデートが要求される度に割り当てられる。従来から、欠陥ブロックを代替する代替ブロックを記録するためにディスクの所定領域にスペア領域が設けられるが、本発明では、このようなスペア領域に代替ブロックだけでなく欠陥に関する情報、すなわち、欠陥ブロック及び代替ブロックの位置に関する情報を含む欠陥リストまで記録し、このように、代替ブロック及び欠陥リストが記録される領域を本発明ではＳＡ／ＤＬ（Ｓｐａｒｅ  Ａｒｅａ／Ｄｅｆｅｃｔ  Ｌｉｓｔ）領域と称する。
【００３８】
ディスクにデータをそれ以上記録できないか、そうでなければ、ユーザが追加的なデータの記録なしに現在のディスク状態をそのまま維持して再生専用のみに使用したい場合、ディスクは最終化されるが、この時に最終化されたディスク管理情報は最終ディスク管理領域（ＦＤＭＡ）に記録される。最終ディスク管理情報をしっかりとするために、複数個のディスク管理情報が記録されるように、複数個のＦＤＭＡが割り当てられることが望ましい。ＦＤＭＡは、単一記録層ディスクにおいてリードイン、リードアウトに備わり、二重記録層においてリードイン、中間領域、リードアウトに設けられる。
【００３９】
ＰＣＡ（Ｐｏｗｅｒ  Ｃａｌｉｂｒａｔｉｏｎ  Ａｒｅａ）は、記録方法による色々な記録パワーでテストして、最適の記録パワー及びその記録方法による変数を探索可能にするテストのために設けられた領域である。
【００４０】
図２は、本発明による単一記録層ディスクのディスク構造図の第１例を示す。図２を参照するに、ディスクはディスクの半径方向に内周にはリードイン領域があり、外周にはリードアウト領域があり、中央部分にデータ領域が設けられる。
【００４１】
リードイン領域は、ＰＣＡ＃０、ＦＤＭＡ＃１、ＦＤＭＡ＃２、ＤＤＳ／ＲＭＤ領域＃０を含み、データ領域は、ユーザ領域及びＳＡ／ＤＬ領域＃０、ＳＡ／ＤＬ領域＃１を含み、リードアウト領域は、ＰＣＡ＃１、ＦＤＭＡ＃３、ＦＤＭＡ＃４、ＤＤＳ／ＲＭＤ領域＃１を含む。
【００４２】
図３は、本発明による単一記録層ディスクのディスク構造図の第２例を示す。図３を参照するに、リードイン領域は、ＦＤＭＡ＃１、ＦＤＭＡ＃２、ＤＤＳ／ＲＭＤ領域＃０を含み、データ領域は、ユーザ領域及びＳＡ／ＤＬ領域＃０、ＳＡ／ＤＬ領域＃１、ＤＤＳ／ＲＭＤ領域＃２を含み、リードアウト領域は、ＰＣＡ、ＦＤＭＡ＃３、ＦＤＭＡ＃４、ＤＤＳ／ＲＭＤ領域＃１を含む。
【００４３】
図２及び図３に示したようなディスク構造に設けられた臨時ディスク管理領域をさらに具体的に説明する。図２及び図３を参照するに、ＳＡ／ＤＬ領域は、単一記録層ディスクのデータ領域の一部に設けられる。図示されていないが、二重記録層ディスクの場合にも、二重記録層ディスクのデータ領域の一部にＳＡ／ＤＬ領域が設けられる。
【００４４】
前述したように、ＳＡ／ＤＬ領域は、欠陥ブロックを代替する代替ブロック及び欠陥に関する情報、すなわち、欠陥ブロックの位置情報と代替ブロックの位置情報とを含む欠陥リストを記録するための領域である。ユーザ領域で欠陥が発生してその欠陥ブロックを代替すれば、それにより、その欠陥ブロックの位置情報及び代替ブロックの位置情報も記録せねばならない。それで始めて以後にホストからその欠陥ブロックの位置でデータを読めという命令があれば、ドライブはその欠陥ブロックを代替する代替ブロックの位置を探し、その位置で欠陥のないデータを読み取ることができるためである。
【００４５】
このように、代替ブロックと欠陥リストとは密接な関係にあるために、通常的に共にアップデートされる場合が多い。したがって、代替ブロックを記録するための空間と欠陥リストを記録するための空間とを別途に用意するよりは、本発明のように一つの空間を用意し、代替ブロックを記録せねばならない時点でその一つの空間で使用可能な位置、すなわち、記録可能な位置に代替ブロックを記録し、また、欠陥リストを記録せねばならない時点で、その一つの空間で記録可能な位置に欠陥リストを記録することが有利である。このようにすることで、代替ブロック及び欠陥リストを記録するためにヘッドが相異なる二つの空間を往来する必要がなくなって、シーク動作による手間を低減でき、また、ディスク空間を効率的に利用できる。
【００４６】
一方、リードイン領域、中間領域、リードアウト領域に割り当てられた領域は、ディスク製造時に規格の定める通りに既に割り当てられる。しかし、ＳＡ／ＤＬ領域は、ディスク使用のための初期化時点でその割り当て如何が決定されるが、これは、ＳＡ／ＤＬ領域の用途が、欠陥発生による代替ブロック及び欠陥リストを記録するためのものであるため、ディスクの使用前にあらかじめ必要な領域の大きさを予測し難いためである。したがって、一定程度の領域を確保するために、ＳＡ／ＤＬ領域＃０は、ディスク製造時に規格の定める通りに割り当てられ、ＳＡ／ＤＬ領域＃１は、ディスク使用のための初期化時点でドライブ製作者やユーザの選択によって、またはディスクの使用中にＳＡ／ＤＬ領域＃０がすべてなくなる場合を含めて、その必要性が求められる時にドライブ製作者やユーザの選択によってデータ領域の終端部に割り当てられうる。また、データ領域の終端部分に割り当てられるＳＡ／ＤＬ領域＃１でのデータ記録方向をユーザ領域でのデータ記録方向と逆にし、また、これによってユーザ領域の最初の方向に拡張を容易にすることが望ましい。このようにすることで、ディスクをさらに効率的に使用できる。
【００４７】
ＤＤＳ／ＲＭＤ領域は、単一記録層ディスクでリードイン領域やリードアウト領域、二重記録層ディスクでリードイン領域やリードアウト領域または中間領域に設けられる。
【００４８】
前述したように、ディスク定義構造（ＤＤＳ）は、前記臨時ディスク管理領域の位置情報やディスク管理情報の位置情報を含む。記録管理情報（ＲＭＤ）は、ディスクに記録されたデータの管理のための情報であって、ユーザ領域にデータを順次に記録するシーケンシャルレコーディングモードでは、それぞれのＲゾーンについての状態情報を表し、ユーザ領域にデータを任意的に記録するランダムレコーディングモードでは、ユーザ領域のそれぞれの記録単位ブロックについてのデータの記録有無状態情報を表す。
【００４９】
図４は、本発明によるＳＡ／ＤＬ領域のデータ構造図である。図４を参照するに、ＳＡ／ＤＬ領域は、ＤＬ＃０、代替ブロック＃１、代替ブロック＃２、ＤＬ＃１、代替ブロック＃３、代替ブロック＃４、代替ブロック＃５、ＤＬ＃２を含む。
【００５０】
ＤＬ＃０は、初期化情報などを含むことができる。以後、レコーディングオペレーション＃０で欠陥＃１及び欠陥＃２が発生して、欠陥ブロック＃１、欠陥ブロック＃２をそれぞれ代替する代替ブロック＃１、代替ブロック＃２がＤＬ＃０が記録された位置の次の記録可能な位置から記録され、また、このような欠陥＃１に関する情報及び欠陥＃２に関する情報を含む欠陥リストＤＬ＃１が、代替ブロック＃２が記録された位置の次の記録可能な位置に記録される。そして、レコーディングオペレーション＃１で欠陥＃３、欠陥＃４、欠陥＃５が発生して、欠陥ブロック＃３、欠陥ブロック＃４、欠陥ブロック＃５をそれぞれ代替する代替ブロック＃３、代替ブロック＃４、代替ブロック＃５がＤＬ＃１が記録された位置の次の記録可能な位置から記録され、また、このような欠陥＃３に関する情報及び欠陥＃４に関する情報、欠陥＃５に関する情報を含む欠陥リストＤＬ＃２が、代替ブロック＃５が記録された位置の次の記録可能な位置に記録される。
【００５１】
図４には、レコーディングオペレーション中に発生した欠陥を図示したが、これに限定されるものではなく、再生オペレーション中に発生した欠陥についても同一に適用される。
【００５２】
このように、本発明によるＳＡ／ＤＬ領域には、代替ブロックや欠陥リストが記録される時点でＳＡ／ＤＬ領域での記録可能な位置に順次に記録される。
【００５３】
図５は、図４に図示された欠陥リストＤＬ＃ｉのデータ構造図である。図５を参照するに、ＤＬ＃ｉは一つ以上の欠陥に関する情報、すなわち、欠陥＃０に関する情報及び欠陥＃１に関する情報を含む。一つの欠陥＃ｉに関する情報が、一つの欠陥ブロック及びこれを代替する代替ブロックに関する情報に対応する。このような欠陥＃ｉに関する情報が図６に図示されている。
【００５４】
図６は、図５に図示された欠陥＃ｉに関する情報のデータ構造図である。図６を参照するに、欠陥＃ｉに関する情報は、欠陥ブロック＃ｉの位置情報及び代替ブロック＃ｉの位置情報を含む。例えば、欠陥ブロック＃ｉの位置情報は、欠陥ブロック＃ｉの物理的なセクター番号となり、代替ブロック＃ｉの位置情報は、代替ブロック＃ｉの物理的なセクター番号となりうる。また、図６には図示されていないが、欠陥＃ｉに関する情報は、欠陥ブロック＃ｉの位置情報及び代替ブロック＃ｉの位置情報以外に所定の状態情報をさらに含むことができる。
【００５５】
図７は、本発明によってユーザ領域に発生した欠陥に関する情報をＳＡ／ＤＬ領域に記録する概念を説明するための参考図である。
【００５６】
ここで、データを処理する単位は、セクター及びクラスターに大別できる。セクターは、コンピュータのファイルシステムやアプリケーションでデータを管理できる最小限の単位を意味し、クラスターは、一度に物理的にディスク上に記録されうる最小限の単位を意味する。一般的に一つあるいはそれ以上のセクターが一つのクラスターを構成する。
【００５７】
セクターは、また物理セクターと論理セクターとに大別できる。物理セクターは、ディスク上に一セクター分量のデータが記録されるための空間を意味する。物理セクターを探すためのアドレスを物理セクター番号（フィジカルセクターナンバー：ＰＳＮ）という。論理セクターは、ファイルシステムや応用プログラムでデータを管理するためのセクター単位をいい、同様に論理セクター番号（ロジカルセクターナンバー：ＬＳＮ）が与えられている。ディスクにデータを記録して再生する装置は、記録すべきデータのディスク上の位置を物理セクター番号を使用して探索し、データを記録するためのコンピュータまたは応用プログラムでは、データ全体を論理セクター単位で管理し、データの位置を論理セクター番号で管理する。論理セクター番号と物理セクター番号との関係は、記録／再生装置の制御部が欠陥如何及び記録開始位置などを使用して変換する。
【００５８】
図７を参照するに、ユーザ領域及びＳＡ／ＤＬ領域には、物理的セクター番号が順次に割り当てられた複数個の物理セクター（図示せず）が存在する。論理セクター番号は、少なくとも一つの物理セクター単位で付与される。ただし、論理セクター番号は、欠陥が発生したユーザデータ領域に発生した欠陥領域を除いてＳＡ／ＤＬ領域の代替領域を含めて付与されるので、物理セクターと論理セクターとの大きさが同一であると仮定しても、欠陥領域が発生すれば、物理セクター番号と論理セクター番号とが一致しなくなる。
【００５９】
図７を参照するに、（１）ないし（７）は、それぞれ記録後検証作業が行われる単位を示す。記録装置は、ユーザデータを区間（１）ほど記録した後、区間（１）の最初の部分に戻ってデータが正常に記録されたか、そうでなければ、欠陥が発生したかどうかを確認する。欠陥が発生した部分が見つかれば、その部分を欠陥領域と指定する。これにより、欠陥領域である欠陥＃１が指定される。また、記録装置は、欠陥＃１に記録されたデータをＳＡ／ＤＬ領域に上書きする。欠陥＃１に記録されたデータを上書きするための部分は、代替＃１と呼ぶ。次いで、記録装置は、区間（２）ほどユーザデータを記録した後、再び区間（２）の最初の部分に戻ってデータが正常に記録されたか、そうでなければ、欠陥の発生如何を確認する。欠陥が発生した部分が見つかれば、その部分は欠陥＃２と指定される。同じ方式で、欠陥＃２に対応する代替＃２が生成される。また、区間（３）で欠陥領域の欠陥＃３及び代替＃３が生成される。区間（４）では、欠陥が発生した部分が見つからずに欠陥領域が存在しない。
【００６０】
区間（４）まで記録して検証した後、レコーディングオペレーション＃０の終了が予測されれば、（ユーザがイジェクトボタンを押すか、または、レコーディングオペレーションに割り当てられたユーザデータ記録が完了すれば）、記録装置は、区間（１）ないし（４）までで発生した欠陥＃１、＃２、＃３に関する情報を含むＤＬ＃１をＳＡ／ＤＬ領域に記録する。
【００６１】
レコーディングオペレーション＃１が始まれば、区間（５）ないし（７）まで同じ方式でデータが記録されて欠陥＃４、＃５及び代替＃４、＃５が生成される。レコーディングオペレーション＃１の終了が予測されれば、記録装置は、欠陥＃４及び＃５に関する情報を含むＤＬ＃２をＳＡ／ＤＬ領域に記録する。
【００６２】
図８は、本発明によるＤＤＳ／ＲＭＤ領域のデータ構造図である。図８を参照するに、ＤＤＳ／ＲＭＤ領域は、ＤＤＳ／ＲＭＤ＃０、ＤＤＳ／ＲＭＤ＃１、…ＤＤＳ／ＲＭＤ＃ｎを含む。
【００６３】
ＤＤＳ／ＲＭＤ＃０は初期化情報などを含み、ＤＤＳ／ＲＭＤ＃１からは、ディスク管理情報やディスク管理領域の位置情報と、ディスクに記録されたデータの管理のための情報（ＲＭＤ）とを含む。このようなディスク管理情報の位置情報や記録管理のための情報は、ディスクの使用によって変更される情報であるために、ＤＤＳ／ＲＭＤ＃ｉは、それに対応してアップデートされる。このようにアップデートされるＤＤＳ／ＲＭＤ＃ｉは、ＤＤＳ／ＲＭＤ領域でＤＤＳ／ＲＭＤ＃ｉ−１の次の位置に順次に記録される。
【００６４】
また、ディスク上に複数個のＤＤＳ／ＲＭＤ領域が存在する場合、ＤＤＳ／ＲＭＤ領域は連続的に使われることが望ましい。すなわち、一つのＤＤＳ／ＲＭＤ領域がすべて使われた後、その次のＤＤＳ／ＲＭＤ領域が使用されることが望ましい。単一記録層ディスクの場合、単一記録層ディスクの内周にあるＤＤＳ／ＲＭＤ領域がまず使用され、その次に外周にあるＤＤＳ／ＲＭＤ領域が使われる。そして、二重記録層ディスクの場合には、二重記録層ディスクの内周中でも第１記録層Ｌ０にあるＤＤＳ／ＲＭＤ領域がまず使用され、その次の二番目の記録層Ｌ１にある領域が使われる。このように、リードイン領域、中間領域、リードアウト領域にあるＤＤＳ／ＲＭＤ領域がすべて使われた後に、データ領域内に割り当てられたＤＤＳ／ＲＭＤ領域が使われることが望ましい。すなわち、ＤＤＳ／ＲＭＤ領域の使用順序は、ＤＤＳ／ＲＭＤ領域＃０→ＤＤＳ／ＲＭＤ領域＃１→ＤＤＳ／ＲＭＤ領域＃２→ＤＤＳ／ＲＭＤ領域＃３の通りである。このように、複数個のＤＤＳ／ＲＭＤ領域の使用順序を一定にしておくことによって、そして、各ＤＤＳ／ＲＭＤ領域内の使用方向を定めておくことによって、今後ディスクがドライブにローディングされてディスクの最終的なＤＤＳ／ＲＭＤをアクセスしようとする時、前記ＤＤＳ／ＲＭＤ領域の使用順序及びそれぞれの領域内での使用順序に立脚して、最後に記録されたＤＤＳ／ＲＭＤをさらに容易にさがすことができる。
【００６５】
図９Ａは、本発明によってディスク初期化時点でデータ領域にＳＡ／ＤＬ領域が割り当てられたディスク構造図の第１例を示す。図９Ａを参照するに、第１例では、データ領域の最初の部分のみにＳＡ／ＤＬ領域＃０が割り当てられ、データ領域の残りの部分は、ユーザデータを記録するためのユーザ領域として使われる。ユーザ領域の使用方向、すなわち、ユーザ領域でユーザデータの記録方向が矢印で表示されている。
【００６６】
図９Ｂは、本発明によってディスク初期化時点でデータ領域にＳＡ／ＤＬ領域とＤＤＳ／ＲＭＤ領域とが割り当てられたディスク構造図の第２例を示す。図９Ｂを参照するに、第２例では、データ領域の最初の部分にＳＡ／ＤＬ領域＃０が割り当てられ、前記ＳＡ／ＤＬ領域＃０が割り当てられた位置の次の位置にＤＤＳ／ＲＭＤ領域＃２が割り当てられる。そして、データ領域で前記ＳＡ／ＤＬ領域＃０とＤＤＳ／ＲＭＤ領域＃２とが割り当てられた部分を除外した領域がユーザ領域として使われる。図２及び図３に示したように、ディスク製造時にディスクのリードイン領域及びリードイン領域にそれぞれＤＤＳ／ＲＭＤ領域＃０とＤＤＳ／ＲＭＤ領域＃１とが割り当てられている場合に、第２例のようにディスク初期化時にデータ領域に割り当てられるＤＤＳ／ＲＭＤ領域は、ＤＤＳ／ＲＭＤ領域＃２となる。
【００６７】
図９Ｃは、本発明によってディスク初期化時点でデータ領域にＳＡ／ＤＬ領域とＤＤＳ／ＲＭＤ領域とが割り当てられたディスク構造図の第３例を示す。図９Ｃを参照するに、第３例では、データ領域の最初の部分にＳＡ／ＤＬ領域＃０が割り当てられ、データ領域の最後の部分にＤＤＳ／ＲＭＤ領域＃２が割り当てられる。そして、データ領域で前記ＳＡ／ＤＬ領域＃０とＤＤＳ／ＲＭＤ領域＃２とが割り当てられた部分を除外した領域が、ユーザ領域として使われる。
【００６８】
図９Ｄは、本発明によってディスク初期化時点で、データ領域にＳＡ／ＤＬ領域とＤＤＳ／ＲＭＤ領域とが割り当てられたディスク構造図の第４例を示す。図９Ｄを参照するに、第４例では、データ領域の最初の部分にＳＡ／ＤＬ領域＃０が割り当てられ、データ領域の最後の部分にＳＡ／ＤＬ領域＃１が割り当てられる。そして、データ領域で前記ＳＡ／ＤＬ領域＃０とＳＡ／ＤＬ領域＃１とが割り当てられた部分を除外した領域が、ユーザ領域として使われる。このような場合、ユーザ領域の使用方向がデータ領域の最初の部分（ＳＡ／ＤＬ領域＃０が割り当てられた部分）から最後の部分（ＳＡ／ＤＬ領域＃１が割り当てられた部分）に向かうならば、ＳＡ／ＤＬ領域＃１の拡張や縮少を容易にするために、ＳＡ／ＤＬ領域＃１の使用方向は、データ領域の最後の部分から最初の部分に向わせることが望ましい。
【００６９】
図９Ｅは、本発明によって、ディスク初期化時点で、データ領域にＳＡ／ＤＬ領域とＤＤＳ／ＲＭＤ領域とが割り当てられたディスク構造図の第５例を示す。図９Ｅを参照するに、第５例では、データ領域の最初の部分と最後の部分とにＳＡ／ＤＬ領域＃０とＳＡ／ＤＬ領域＃１とがそれぞれ割り当てられ、ＤＤＳ／ＲＭＤ領域＃２が前記ＳＡ／ＤＬ領域＃０の次の位置に割り当てられる。そして、データ領域で、ＤＤＳ／ＲＭＤ領域＃２とＳＡ／ＤＬ領域＃１との間にある領域が、ユーザ領域として使われる。図９Ｄを参照して説明したように、ＳＡ／ＤＬ領域＃１の拡張や縮少を容易にするために、ユーザ領域の使用方向とＳＡ／ＤＬ領域＃１の使用方向とは互いに対向させることが望ましい。
【００７０】
図９Ｆは、本発明によってディスク初期化時点でデータ領域にＳＡ／ＤＬ領域とＤＤＳ／ＲＭＤ領域とが割り当てられたディスク構造図の第６例を示す。図９Ｆを参照するに、第６例では、データ領域の最初の部分にＳＡ／ＤＬ領域＃０が割り当てられ、最後の部分にＤＤＳ／ＲＭＤ領域＃２が割り当てられ、ＳＡ／ＤＬ領域＃１が前記ＤＤＳ／ＲＭＤ領域＃２の次の位置に割り当てられる。そして、データ領域でＳＡ／ＤＬ領域＃０とＳＡ／ＤＬ領域＃１との間にある領域がユーザ領域として使われる。図９Ｄを参照して説明したように、ＳＡ／ＤＬ領域＃１の拡張や縮少を容易にするために、ユーザ領域の使用方向とＳＡ／ＤＬ領域＃１の使用方向とは互いに対向させることが望ましい。
【００７１】
一方、図９Ａないし図９Ｃに示したように、ディスク使用のための初期化時点では、ＳＡ／ＤＬ領域＃１が割り当てられていない場合であっても、ディスク使用中にＳＡ／ＤＬ領域＃０がすべて使用されたという理由で、その必要性が生じれば、ＳＡ／ＤＬ領域＃１はさらに割り当てられうる。図９Ａ及び図９Ｂに示したように、初期化時点でデータ領域の終端部分に何にも割り当てられていない場合には、それぞれ図９Ｄ及び図９Ｅに示したように、データ領域の終端部からユーザ領域の最初の方向にＳＡ／ＤＬ領域＃１が割り当てられうる。また、図９Ｃに示したように、初期化時点でデータ領域の終端部分にＤＤＳ／ＲＭＤ領域＃２が割り当てられた場合には、ディスク使用中にさらに割り当てられるＳＡ／ＤＬ領域＃１は、図９Ｆに示したように、前記ＤＤＳ／ＲＭＤ領域＃２の開始前からユーザ領域の最初の方向に割り当てられうる。
【００７２】
一方、本発明でデータ領域内に割り当てられるＤＤＳ／ＲＭＤ領域は、ディスク使用のための初期化時点で割り当て、初期化以後にディスク使用中には、その割り当てや拡張が禁止されることが望ましい。これは、ＤＤＳ／ＲＭＤ領域に記録されるＤＤＳ／ＲＭＤブロックには、色々なディスク管理情報や記録管理情報が記録されている位置に対するポインタ及びデータ領域に割り当てられたＤＤＳ／ＲＭＤ領域の位置情報が記録されるためである。すなわち、ディスクがローディングされた時、ドライブは最終的なディスク管理情報（ＤＭＩ）を得るために、最終的なＤＤＳ／ＲＭＤブロックをまず得なければならない。このような最終的なＤＤＳ／ＲＭＤブロックから最終的なＤＬの位置情報を得てＤＬを探し、さらに他の情報に対するポインタを得てその情報をさがすことができる。ところが、もし、ディスク使用中にデータ領域内にＤＤＳ／ＲＭＤ領域が割り当てられるか、または拡張されれば、ディスク使用のために初期化時に割り当てられたＤＤＳ／ＲＭＤ領域の位置情報と異なる。このようになれば、今後最終的なＤＤＳ／ＲＭＤブロックがデータ領域内の割り当てられたＤＤＳ／ＲＭＤ領域に記録された場合、ドライブは、ディスクがローディングされた時にデータ領域内に割り当てられた正確なＤＤＳ／ＲＭＤ領域の位置が分からないために、最終的なＤＤＳ／ＲＭＤブロックを得るのに長時間がかかる。このような問題を解決するために、データ領域内にＤＤＳ／ＲＭＤ領域の割り当ては、ディスク使用のための初期化時点に限定し、また、その初期化情報であるＤＤＳ／ＲＭＤ＃０、ＤＬ＃０は、それぞれＤＤＳ／ＲＭＤ領域及びＳＡ／ＤＬ領域の開始位置に記録することが望ましい。すなわち、ＤＤＳ／ＲＭＤ＃０は、図２及び図３の場合、リードインに設けられたＤＤＳ／ＲＭＤ領域＃０の最初の使用可能な位置に記録し、ＤＬ＃０は、図２及び図３の場合、データ領域の開始部分に割り当てられたＳＡ／ＤＬ領域＃０の最初の使用可能な位置に記録して、今後ドライブシステムがディスクの初期化情報を知るようにすることが望ましい。
【００７３】
以下では、ＤＤＳ／ＲＭＤ領域の一番最初の使用可能な位置に記録されるＤＤＳ／ＲＭＤ＃０と、ＳＡ／ＤＬ領域の一番最初の使用可能な位置に記録されるＤＬ＃０とに含まれる情報を説明する。
【００７４】
図１０Ａは、本発明によるＤＤＳ／ＲＭＤ＃０のデータ構造図の第１例を示す。図１０Ａを参照するに、ＤＤＳ／ＲＭＤ＃０
２００は、ディスク管理情報を含んでいるＤＤＳ  ２１０と、記録管理情報を含んでいるＲＭＤ  ２２０とを含む。
【００７５】
ＤＤＳ  ２１０は、ＤＤＳ／ＲＭＤ識別子２１１と、ＤＤＳ／ＲＭＤアップデートカウンタ（００ｈ）２１２と、ＳＡ／ＤＬ領域＃０の位置情報２１３と、ＳＡ／ＤＬ領域＃１の位置情報２１４と、データ領域で割り当てられたＤＤＳ／ＲＭＤ領域＃２の位置情報２１５と、ＤＬが記録された位置情報２１６と、ＳＡ／ＤＬ領域内で次に使用可能な位置情報２１７とを含む。
【００７６】
ＤＤＳ／ＲＭＤ識別子２１１は、ＤＤＳ／ＲＭＤブロックであることを表すための識別子である。ＤＤＳ／ＲＭＤアップデートカウンタ２１２は、ＤＤＳ／ＲＭＤ領域で何番目にアップデートされたＤＤＳ／ＲＭＤブロックであるかを表すためのものであって、ＤＤＳ／ＲＭＤ＃０は、ＤＤＳ／ＲＭＤ領域で最初のＤＤＳ／ＲＭＤブロックであるため、ＤＤＳ／ＲＭＤアップデートカウンタ２１２は、００ｈを含んでいる。ＳＡ／ＤＬ領域＃０の位置情報２１３は、データ領域でＳＡ／ＤＬ領域＃０が割り当てられた位置を表し、ＳＡ／ＤＬ領域＃１の位置情報２１４は、データ領域でＳＡ／ＤＬ領域＃１が割り当てられた位置を表す。このような領域の位置情報は、開始アドレスと終了アドレスとでなるか、または、開始アドレスとその大きさ、または終了アドレスとその大きさで表すことができる。データ領域で割り当てられたＤＤＳ／ＲＭＤ領域＃２の位置情報２１５は、データ領域内でＤＤＳ／ＲＭＤ領域＃２が割り当てられた位置を表す。ＤＬが記録された位置情報２１６は、ＳＡ／ＤＬ領域でＤＬが記録された位置を表す。ＳＡ／ＤＬ領域内で次の使用可能な位置情報２１７は、ＳＡ／ＤＬ領域内で次の記録可能な位置を表すものであって、このような次の記録可能位置をＤＤＳ／ＲＭＤブロックに記録しておくことによって、ＳＡ／ＤＬ領域で代替ブロックや欠陥リストを記録せねばならない時点で使用可能な位置を容易にさがすことができる。
【００７７】
図１０Ｂは、本発明によるＤＬ＃０のデータ構造図の第１例を示す。図１０Ｂを参照するに、ＤＬ＃０ ３００は、ＤＬ識別子３１０と、ＤＬアップデートカウンタ３２０と、欠陥情報の数３３０とを含む。
【００７８】
ＤＬ識別子３１０は、欠陥リストであることを表すための識別子であり、ＤＬアップデートカウンタ３２０は、欠陥リストがアップデートされた回数を表すものであって、ＤＬ＃０は最初の欠陥リストであるため、ＤＬアップデートカウンタ３２０はｏｏｈを含んでいる。欠陥情報の数３３０は、ＤＬ＃０内に含まれた欠陥リストエントリーの数を表すものであって、ＤＬ＃０は、欠陥の発生前に初期化情報のみを含んでいるので、欠陥情報の数は“０”を含んでいる。
【００７９】
このように、図１０Ａ及び図１０Ｂにそれぞれ図示されたＤＤＳ／ＲＭＤ＃０とＤＬ＃０とが初期化されたディスク管理情報を構成する。このような情報をそれぞれの領域で最初の使用可能な位置に記録することによって、今後ディスクがドライブにローディングされれば、初期化されたディスク管理情報が記録されている位置をアクセスしてディスクの初期化結果を得ることができる。
【００８０】
図１１Ａは、本発明によるＤＤＳ／ＲＭＤ＃０のデータ構造図の第２例を示す。図１１Ａを参照するに、ＤＤＳ／ＲＭＤ＃０  ４００は、ディスク管理情報を含んでいるＤＤＳ  ４１０と、記録管理情報を含んでいるＲＭＤ  ４２０とを含む。
【００８１】
ＤＤＳ  ４１０は、ＤＤＳ／ＲＭＤ識別子４１１と、ＤＤＳ／ＲＭＤアップデートカウンタ（００ｈ）４１２と、ＳＡ／ＤＬ領域＃０の位置情報４１３と、データ領域で割り当てられたＤＤＳ／ＲＭＤ領域＃２の位置情報４１４と、ＤＬが記録された位置情報４１５と、ＳＡ／ＤＬ領域内で次の使用可能な位置情報４１６と、を含む。
【００８２】
図１１Ｂは、本発明によるＤＬ＃０のデータ構造図の第２例を示す。図１１Ｂを参照するに、ＤＬ＃０  ５００は、ＤＬ識別子５１０と、ＤＬアップデートカウンタ５２０と、ＳＡ／ＤＬ領域＃１の位置情報５３０と、欠陥情報の数５４０と、を含む。
【００８３】
第２例では、第１例と異なって、ＳＡ／ＤＬ領域＃１の位置情報がＤＤＳ／ＲＭＤ＃０に含まれずにＤＬ＃０に含まれており、その他の情報は第１例といずれも同一に配置されている。
【００８４】
図１２は、本発明によって光ディスクの初期化動作過程を示すフローチャートである。図１２を参照するに、ドライブシステムのシステム制御器１０は、ディスク初期化時に必要に応じてディスクのデータ領域にＤＤＳ／ＲＭＤ領域とＳＡ／ＤＬ領域とを割り当てる（１２００）。図９Ａないし図９Ｆを参照して説明したように、データ領域の最初の部分と終端部分とにＤＤＳ／ＲＭＤ領域とＳＡ／ＤＬ領域とを割り当てる。
【００８５】
次いで、システム制御器１０は、このようにデータ領域に割り当てられたＤＤＳ／ＲＭＤ領域の位置情報及びＳＡ／ＤＬ領域の位置情報を、ＤＤＳ／ＲＭＤ領域の最初の使用可能な位置にＤＤＳ／ＲＭＤ＃０と記録する（１２１０）。すなわち、システム制御器は、図１０Ａまたは図１１Ａに示したように、ＤＤＳ／ＲＭＤ＃０を構成し、このように構成されたＤＤＳ／ＲＭＤ＃０をディスクに設けられたＤＤＳ／ＲＭＤ領域の最初の使用可能な位置に記録するように記録／読出部を制御する。
【００８６】
そして、システム制御器１０は、欠陥情報の数を“０”とする初期欠陥情報を含む欠陥リストを、ＳＡ／ＤＬ領域の最初の使用可能な位置にＤＬ＃０と記録する（１２２０）。すなわち、システム制御器は、図１０Ｂまたは図１１Ｂに示したようにＤＬ＃０を構成し、このように構成されたＤＬ＃０をディスクに設けられたＳＡ／ＤＬ領域の最初の使用可能な位置に記録するように記録／読出部を制御する。
【００８７】
図１３は、本発明によって光ディスクの使用中の動作過程を示すフローチャートである。図１３を参照するに、記録装置は、記録後検証が行われる単位でデータ領域にユーザデータを記録する（１３００）。次いで、前記１３００ステップで記録されたデータを検証して欠陥が発生した部分を捜し出し、その発生した欠陥に関する欠陥ブロックを代替する代替ブロックを、ディスクのデータ領域の一部に設けられたＳＡ／ＤＬ領域に記録する（１３１０）。この時、システム制御器は、代替ブロックを記録する時点でＳＡ／ＤＬ領域内でデータが記録されていない位置、すなわち、記録可能な位置に代替ブロックを記録する。
【００８８】
次いで、発生した欠陥に関する情報、すなわち、欠陥ブロックの位置情報及び代替ブロックの位置情報を生成してメモリに保存しておく（１３２０）。レコーディングオペレーションの終了が予測されるまで前記１３００ステップないし１３２０ステップを反復する。
【００８９】
ユーザ入力またはレコーディングオペレーションによるユーザデータ記録が完了してレコーディングオペレーションの終了が予測されれば（１３３０）、記録装置の制御部１は、メモリに保存された欠陥に関する情報を読み込む（１３４０）。
【００９０】
そして、一つ以上の欠陥に関する情報を含む欠陥リストを生成した（１３５０）後、生成された欠陥リストをＳＡ／ＤＬ領域に記録する（１３６０）。すなわち、欠陥リストを記録する時点でＳＡ／ＤＬ領域内の記録可能な位置、すなわち、例えば、最も最近に代替された代替ブロックが記録された位置の次の記録可能な位置に記録する。
【００９１】
次いで、ＳＡ／ＤＬ領域内の次の記録可能な位置情報を含むディスク管理情報（ＤＤＳ）及び記録管理情報（ＲＭＤ）を、リードイン領域またはリードアウト領域に設けられたＤＤＳ／ＲＭＤ領域に記録する（１３７０）。
【００９２】
以上説明したような本発明は、追記型記録情報記録媒体に効果的に適用されることはもとより、上書き情報記録媒体についても同様に適用できる。
【００９３】
以上説明したような記録／再生方法は、またコンピュータで読み取り可能な記録媒体にコンピュータで読み取り可能なコードとして具現できる。コンピュータで読み取り可能な記録媒体は、コンピュータシステムによって読み取られるデータが保存されるあらゆる種類の記録媒体を含む。コンピュータで読み取り可能な記録媒体の例には、磁気記録媒体、光記録媒体、キャリアウェーブ（例えば、インターネットを通じた伝送）、ファームウェアまたは他の記録可能媒体の形態を含む。また、コンピュータで読み取り可能な記録媒体は、ネットワークに連結されたコンピュータシステムに分散されて、分散方式でコンピュータで読み取り可能なコードが保存されて実行されうる。そして、前記記録／再生方法を具現するための機能的なプログラム、コード及びコードセグメントは本発明が属する技術分野のプログラマーにより容易に推論できる。
【００９４】
これまで本発明についてその望ましい実施形態を中心に説明した。当業者ならば本発明が本発明の本質的な特性から逸脱しない範囲で変形された形態で具現できるということを理解することができるであろう。したがって、開示された実施形態は限定的な観点ではなく説明的な観点で考慮されねばならない。本発明の範囲は、前述した説明ではなく特許請求の範囲に現れており、それと同等な範囲内にあるあらゆる差異点は本発明に含まれていると解釈されねばならない。
【産業上の利用可能性】
【００９５】
本発明は、光記録媒体、記録／再生装置、記録／再生方法及びその方法を行うプログラムが記録されたコンピュータで読み取り可能な記録媒体の関連技術分野に用いられる。
【図面の簡単な説明】
【００９６】
【図１】本発明による記録／再生装置の構成の概略的なブロック図である。
【図２】本発明による単一記録層ディスクのディスク構造図の第１例を示す図である。
【図３】本発明による単一記録層ディスクのディスク構造図の第２例を示す図である。
【図４】本発明によるＳＡ／ＤＬ領域のデータ構造図の一例を示す図である。
【図５】図４に図示されたＤＬ＃ｉのデータ構造図の一例を示す図である。
【図６】図５に図示された欠陥＃ｉに関する情報のデータ構造図の一例を示す図である。
【図７】本発明によってユーザ領域に発生した欠陥を管理する情報をＳＡ／ＤＬ領域に記録する概念を説明するための参考図である。
【図８】本発明によるＤＤＳ／ＲＭＤ領域のデータ構造図の一例を示す図である。
【図９Ａ】本発明によってディスク初期化時点でのデータ領域にＳＡ／ＤＬ領域が割り当てられたディスク構造図の第１例を示す図である。
【図９Ｂ】本発明によってディスク初期化時点でデータ領域にＳＡ／ＤＬ領域とＤＤＳ／ＲＭＤ領域とが割り当てられたディスク構造図の第２例を示す図である。
【図９Ｃ】本発明によってディスク初期化時点でデータ領域にＳＡ／ＤＬ領域とＤＤＳ／ＲＭＤ領域とが割り当てられたディスク構造図の第３例を示す図である。
【図９Ｄ】本発明によってディスク初期化時点でデータ領域にＳＡ／ＤＬ領域とＤＤＳ／ＲＭＤ領域とが割り当てられたディスク構造図の第４例を示す図である。
【図９Ｅ】本発明によってディスク初期化時点でデータ領域にＳＡ／ＤＬ領域とＤＤＳ／ＲＭＤ領域とが割り当てられたディスク構造図の第５例を示す図である。
【図９Ｆ】本発明によってディスク初期化時点でデータ領域にＳＡ／ＤＬ領域とＤＤＳ／ＲＭＤ領域とが割り当てられたディスク構造図の第６例を示す図である。
【図１０Ａ】本発明によるＤＤＳ／ＲＭＤ＃０のデータ構造図の第１例を示す図である。
【図１０Ｂ】本発明によるＤＬ＃０のデータ構造図の第１例を示す図である。
【図１１Ａ】本発明によるＤＤＳ／ＲＭＤ＃０のデータ構造図の第１例を示す図である。
【図１１Ｂ】本発明によるＤＬ＃０のデータ構造図の第２例を示す図である。
【図１２】本発明によって光ディスクの初期化動作過程を示すフローチャートである。
【図１３】本発明によって光ディスクの使用中動作過程を示すフローチャートである。
【図１】
2007518214.tif 000003
【図２】
2007518214.tif 000004
【図３】
2007518214.tif 000005
【図４】
2007518214.tif 000006
【図５】
2007518214.tif 000007
【図６】
2007518214.tif 000008
【図７】
2007518214.tif 000009
【図８】
2007518214.tif 000010
【図９Ａ】
2007518214.tif 000011
【図９Ｂ】
2007518214.tif 000012
【図９Ｃ】
2007518214.tif 000013
【図９Ｄ】
2007518214.tif 000014
【図９Ｅ】
2007518214.tif 000015
【図９Ｆ】
2007518214.tif 000016
【図１０Ａ】
2007518214.tif 000017
【図１０Ｂ】
2007518214.tif 000018
【図１１Ａ】
2007518214.tif 000019
【図１１Ｂ】
2007518214.tif 000020
【図１２】
2007518214.tif 000021
【図１３】
2007518214.tif 000022
【国際調査報告】
2007518214.tif 000023
2007518214.tif 000024